(57)【要約】【課題】  施工性が改善された分電盤を提供する。【解決手段】  一次送りブレーカ３において、一次側端子は、主幹ブレーカの一次側に電気的に接続された端子板６２を厚さ方向の両側から弾性的に挟持する金属製のクリップ状の板ばねからなる。一次送りブレーカ３の一次側端子を、電線が直接接続されるねじ端子等で構成する場合に比べ、施工性が改善される。【選択図】図１
2010279104.tif 000002
【特許請求の範囲】
【請求項１】
一次側端子、二次側端子、並びに、一次側端子と二次側端子との電気的な接続をオンオフする接点機構をそれぞれ有する複数個の分岐ブレーカと、
電源に電気的に接続される一次側端子、各分岐ブレーカの一次側端子にそれぞれ電気的に接続される二次側端子、並びに、一次側端子と二次側端子との電気的な接続をオンオフする接点機構を有する主幹ブレーカと、
主幹ブレーカの一次側端子に電気的に接続される一次側端子、二次側端子、並びに、一次側端子と二次側端子との電気的な接続をオンオフする接点機構をそれぞれ有する少なくとも１個の一次送りブレーカと、各一次送りブレーカをそれぞれ主幹ブレーカを挟んで各分岐ブレーカの反対側に保持する保持体とを備え、
保持体において主幹ブレーカを挟んで各分岐ブレーカの反対側には、導電材料からなり主幹ブレーカの一次側端子に電気的に接続された端子板が保持されていて、
各一次送りブレーカの一次側端子は、それぞれ導電性と弾性とを有する材料からなり端子板に弾接することにより端子板を介して主幹ブレーカの一次側端子に電気的に接続される板ばねからなることを特徴とする分電盤。
【発明の詳細な説明】
【技術分野】
【０００１】
本発明は、分電盤に関するものである。
【背景技術】
【０００２】
従来から、負荷毎の給電路を開閉する複数個の分岐ブレーカと、電源から各分岐ブレーカへの給電路を開閉する主幹ブレーカとに加えて、電源から特定の負荷への給電路又は第２の電源から主幹ブレーカへの給電路を開閉する一次送りブレーカを備える分電盤が提供されている。一次送りブレーカは、上記の特定の負荷又は第２の電源又はこれらと一次ブレーカとの間に漏電等の異常が発生したときに、給電路を遮断する。
【０００３】
一次送りブレーカに接続される特定の負荷は、例えば火災報知に関わる住宅情報盤である。すなわち、主幹ブレーカと分岐ブレーカとを介して電源に接続される通常の負荷であれば主幹ブレーカが落ちている（オフされている）ときには電源からの給電がオフされてしまうが、上記のように住宅情報盤が一次送りブレーカのみを介して電源に接続されていれば、仮に主幹ブレーカが落ちていても一次送りブレーカが落ちていない限り住宅情報盤には電力が供給されて火災報知が可能となる。また、一次送りブレーカには、住宅情報盤のように主幹ブレーカが落ちている期間にも動作させたい負荷のほか、給湯器のように比較的に消費電力が大きい負荷が接続されることもある。
【０００４】
また、主幹ブレーカに直接接続される電源は例えば商用電源であり、一次送りブレーカを介して主幹ブレーカに接続される第２の電源は例えば太陽電池や燃料電池などの電力を適宜変換するパワーコンディショナーである。
【０００５】
主幹ブレーカは他のブレーカ（分岐ブレーカ及び一次送りブレーカ）とは明確に異なる寸法形状とされるので他のブレーカと見分けやすいが、一次送りブレーカは、分岐ブレーカと見分けがつきにくいことがある。このため、一次送りブレーカは、分岐ブレーカと見分けやすくするため、主幹ブレーカを挟んで分岐ブレーカの反対側に配置されていた（例えば、特許文献１参照）。
【先行技術文献】
【特許文献】
【０００６】
【特許文献１】特開２００３−１１１２１５号公報
【発明の概要】
【発明が解決しようとする課題】
【０００７】
ここで、電源や主幹ブレーカと一次送りブレーカとの電気的な接続に電線が用いられる場合、その電線としては直径８ｍｍ〜１４ｍｍといった太い電線を用いる必要がある。このような電線は曲げにくいため、電源や主幹ブレーカと一次送りブレーカとの電気的な接続に電線を用いると配線作業が困難となり、施工性が低くなる。
【０００８】
本発明は、上記事由に鑑みて為されたものであり、その目的は、施工性が改善された分電盤を提供することにある。
【課題を解決するための手段】
【０００９】
本発明は、一次側端子、二次側端子、並びに、一次側端子と二次側端子との電気的な接続をオンオフする接点機構をそれぞれ有する複数個の分岐ブレーカと、電源に電気的に接続される一次側端子、各分岐ブレーカの一次側端子にそれぞれ電気的に接続される二次側端子、並びに、一次側端子と二次側端子との電気的な接続をオンオフする接点機構を有する主幹ブレーカと、主幹ブレーカの一次側端子に電気的に接続される一次側端子、二次側端子、並びに、一次側端子と二次側端子との電気的な接続をオンオフする接点機構をそれぞれ有する少なくとも１個の一次送りブレーカと、各一次送りブレーカをそれぞれ主幹ブレーカを挟んで各分岐ブレーカの反対側に保持する保持体とを備え、保持体において主幹ブレーカを挟んで各分岐ブレーカの反対側には、導電材料からなり主幹ブレーカの一次側端子に電気的に接続された端子板が保持されていて、各一次送りブレーカの一次側端子は、それぞれ導電性と弾性とを有する材料からなり端子板に弾接することにより端子板を介して主幹ブレーカの一次側端子に電気的に接続される板ばねからなることを特徴とする。
【発明の効果】
【００１０】
本発明によれば、各一次送りブレーカはそれぞれ一次側端子を端子板に弾接させるだけで電気的な接続を達成されるから、各一次送りブレーカにおいてそれぞれ一次側端子に電線が接続される場合に比べ、施工性が改善される。
【図面の簡単な説明】
【００１１】
【図１】本実施形態の端子台と一次送りブレーカとを示す斜視図である。
【図２】同上の概略構成を示すブロック図である。
【図３】同上を示す分解斜視図である。
【図４】同上においてカバーが取り外された状態を示す正面図である。
【図５】同上においてカバーが取り外された状態を示す斜視図である。
【図６】同上において扉体が開位置にある状態を示す正面図である。
【図７】同上において扉体が開位置にある状態を示す斜視図である。
【発明を実施するための形態】
【００１２】
以下、本発明を実施するための最良の形態について、図面を参照しながら説明する。
【００１３】
本実施形態は、図２及び図３に示すように、電源ＡＣに接続される主幹ブレーカ１と、それぞれ主幹ブレーカ１と一般的な負荷Ｚ１との間に介在する複数個（図３では２６個）の分岐ブレーカ２と、それぞれ電源ＡＣと主幹ブレーカ１との接続点と一次側装置Ｚ２との間に介在する少なくとも１個（図３では２回路用１個と１回路用１個）の一次送りブレーカ３と、上記の各ブレーカ１〜３をそれぞれ収納及び保持するとともに壁面等の取付面（図示せず）に対して固定される器体４とを備える。一次側装置Ｚ２は例えば住宅情報盤のような特定の負荷やパワーコンディショナーである。以下、上下方向は図３を基準とし、図３の左下−右上方向を左右方向と呼び、図３の右下−左上方向を前後方向と呼ぶ。
【００１４】
各ブレーカ１〜３は、それぞれ、一次側端子（図示せず）と、二次側端子と、一次側端子と二次側端子との電気的な接続をオンオフする接点機構（図示せず）とを有する。接点機構は、異常な電流が流れたときに一次側端子と二次側端子との電気的な接続をオフする強制開極動作を行うように構成されている。各分岐ブレーカ２の一次側端子としては、それぞれ例えば主幹ブレーカ１の二次側端子に電気的に接続された金属製の導電バー（図示せず）を弾性的に挟持する金属製のクリップ状の端子を用いることができる。その他、電線が接続される一次側端子や二次側端子としては、速結端子やねじ端子といった周知の端子構造を適宜採用することができる。
【００１５】
さらに、各ブレーカ１〜３には、それぞれ前方に露出し使用者によって操作されて向きを変えるハンドル１１，２１，３１が設けられている。各ブレーカ１〜３において、それぞれ、接点機構はハンドル１１，２１，３１に連動している。すなわち、使用者は各ブレーカ１〜３における一次側端子と二次側端子との電気的な接続をそれぞれハンドル１１，２１，３１の操作によってオンオフすることができる。上記のような各種のブレーカ１〜３は周知技術で実現可能であるので、詳細な図示並びに説明は省略する。
【００１６】
主幹ブレーカ１の一次側端子は電源ＡＣに電気的に接続され、主幹ブレーカ１の二次側端子は各分岐ブレーカ２の一次側端子にそれぞれ電気的に接続され、各分岐ブレーカ２の二次側端子がそれぞれ負荷Ｚ１に接続される。つまり、一般的な負荷Ｚ１は主幹ブレーカ１と分岐ブレーカ２とを介して電源ＡＣに接続される。
【００１７】
また、一次送りブレーカ３は、一次側端子を電源ＡＣと主幹ブレーカ１との接続点に接続され、二次側端子を一次側装置Ｚ２に接続される。
【００１８】
器体４は、主幹ブレーカ１が固定される主幹取付板４１と、各分岐ブレーカ２がそれぞれ固定される分岐取付板４２と、各一次送りブレーカ３がそれぞれ固定される一次送り取付板４３と、各取付板４１〜４３がそれぞれ取り付けられるとともに取付面に対して固定されるボディ４４と、各ブレーカ１〜３のハンドル１１，２１，３１をそれぞれ露出させる形でボディ４４の前側に被着されるカバー４６と、カバー４６の前面を覆う閉位置とカバー４６の前面を露出させる開位置との間でカバー４６に対して回転可能に取り付けられた扉体４７とを備える。すなわち、各取付板４１〜４３とボディ４４とが請求項における保持体を構成する。ボディ４４とカバー４６と扉体４７とはそれぞれ例えば合成樹脂からなる。
【００１９】
各取付板４１〜４３はそれぞれ例えば金属板からなり、ブレーカ１〜３を保持するための例えばＤＩＮレールのような周知の構造を有するものである。図４及び図５に示すように、分岐取付板４２には上下２列に分けて左右に並べて１３個ずつ、計２６個の分岐ブレーカ２が取り付けられ、一次送り取付板４３には一次送りブレーカ３として一次側端子と二次側端子と接点機構とハンドル３１とを２組有する２回路用のものと１組有する１回路用のものとが１個ずつ、左右に並べて取り付けられている。さらに、一次送り取付板４３には、電力会社との契約に応じて電源ＡＣと主幹ブレーカ１との間に介装され主幹ブレーカ１への入力電流を制限するリミッター（図示せず）を取り付けるためのリミッター取付部５０が設けられている。なお、リミッター取付部５０は一次送り取付板４３に設ける代わりに別途の取付板（図示せず）に設けてもよい。
【００２０】
ボディ４４は全体として前面が開放された直方体形状であり前方から見て左右に長い長方形状であって、各取付板４１〜４３は、左から一次送り取付板４３、主幹取付板４１、分岐取付板４２の順に左右に並べて、それぞれ例えばねじ止めによってボディ４４に対して固定される。ここにおいて、一次送りブレーカ３は主幹ブレーカ１を挟んで分岐ブレーカ２の反対側に配置されている。これにより、一次送りブレーカ３を主幹ブレーカ１に関して分岐ブレーカ２と同じ側に配置する場合に比べ、一次送りブレーカ３と分岐ブレーカ２との見分けがつきやすくなっている。
【００２１】
また、ボディ４４の後面には、電源ＡＣと主幹ブレーカ１の一次側端子とを電気的に接続する電線（図示せず）が挿通される電源側電線挿通穴４４ａが主幹取付板４１の後側に開口し、それぞれ負荷Ｚ１と分岐ブレーカ２の二次側端子とを電気的に接続する電線（図示せず）が挿通される負荷側電線挿通穴４４ｂが分岐取付板４２の後側に開口し、それぞれ一次側装置Ｚ２と一次送りブレーカ３の二次側端子とを電気的に接続する電線（図示せず）が挿通される一次送り電線挿通穴４４ｃが一次送り取付板４３の後側に開口している。
【００２２】
図６及び図７に示すように、カバー４６は前方から見た寸法形状がボディ４４と略同じ長方形状であり、中央部には主幹ブレーカ１のハンドル１１を露出させる主幹操作穴４６ａが前後に貫設され、右端部にはそれぞれ左右に長い長方形状であって１列（１３個）ずつの各分岐ブレーカ２のハンドル２１を露出させる２個の分岐操作穴４６ｂが上下に並べて前後に貫設され、左端部には各一次送りブレーカ３のハンドル３１をそれぞれ露出させる一次送り操作穴４６ｃが前後に貫設されている。ここで、本実施形態の一次送り取付板４３及び一次送り操作穴４６ｃはそれぞれ６回路分の一次送りブレーカ３に対応した寸法形状となっているが、本実施形態の１次送りブレーカ３は全体として４回路分の寸法形状となっているので、カバー４６には、一次送り操作穴４６ｃを１回路分ずつ閉塞する２個の蓋体４８が取り付けられている。また、上側の分岐操作穴４６ｂの上側と、下側の分岐操作穴４６ｂの下側とには、それぞれ、透明な材料からなるネームカバー４９が例えば嵌合により着脱自在に取り付けられる。すなわち、各分岐ブレーカ２についてそれぞれ接続された負荷Ｚ１の名称が記載されたネームプレート（図示せず）を、ネームカバー４９とカバー４６との間に保持させることができる。
【００２３】
扉体４７は、前方から見たカバー４６と同様の長方形状であって、短手方向の一端部がカバー４６に対して枢着されることで、前方から見てカバー４６を覆う閉位置と、閉位置での下端を前方に向けてカバー４６の前面を露出させ各ブレーカ１〜３のハンドル１１，２１，３１を操作可能とする開位置との間で、左右方向から見た面内でカバー４６に対して回転可能となっている。
【００２４】
ここで、一次送り取付板４３には、図１に示す端子台６が設けられている。端子台６は、例えば合成樹脂のような絶縁材料からなるホルダ６１と、金属板からなり厚さ方向を前後方向（図１での上下方向）に向けてホルダ６１に保持された端子板６２とを備える。ホルダ６１は端子板６２を左右から挟む形で保持しており、一次送りブレーカ３の接続のために下面（図１での右下面）が開放されているほか、一端が主幹ブレーカ１の一次側端子に電気的に接続された電線（図示せず）の他端の端子板６２への接続のために上面（図１での左上面）と前面（図１での上面）とがそれぞれ開放されている。さらに、ホルダ６１には、前方から見て端子板６２を開閉自在に覆う扉体６３（図５参照）が枢着される。
【００２５】
一次送りブレーカ３の二次側端子３２は２回路用ではねじ端子とされ、１回路用では速結端子とされているが、いずれの一次送りブレーカ３でも、一次側端子は、金属製のクリップ状の板ばねからなっており、一次送りブレーカ３の上面（図１での左上面）に設けられて左右に開放された接続溝３ａ内に保持され、接続溝３ａに挿入された端子板６２を前後方向（端子板６２の厚さ方向であり、図１での上下方向）の両側から弾性的に挟持する。すなわち、各一次送りブレーカ３の一次側端子は、それぞれ、端子板６２に弾接して接触導通することで、端子板６２を介して主幹ブレーカ１の一次側に電気的に接続される。
【００２６】
上記構成によれば、一次送りブレーカ３の接続溝３ａに端子板６２を挿入して一次側端子に挟持させるだけで一次送りブレーカ３の接続が達成されるから、一次送りブレーカ３の一次側端子に電線が接続される場合に比べて施工性が改善される。
【符号の説明】
【００２７】
１  主幹ブレーカ
２  分岐ブレーカ
３  一次送りブレーカ
４  器体（請求項における保持体）
６２  端子板
【図１】
2010279104.tif 000003
【図２】
2010279104.tif 000004
【図３】
2010279104.tif 000005
【図４】
2010279104.tif 000006
【図５】
2010279104.tif 000007
【図６】
2010279104.tif 000008
【図７】
2010279104.tif 000009